(57)【要約】【課題】構造が簡単で、キャリアプレートにワイヤを係止しやすく、ワイヤがキャリアプレートから外れ難いウィンドウレギュレータの提供すること。【解決手段】ワイヤ６の端部に係止部材７を装着する。キャリアプレート３は、一側面上部に形成され、ワイヤ６の一端部を下方から斜めに引き込むワイヤ収容溝１４と、ワイヤ収容溝１４の奥に連続した係合穴１５とを有し、係合穴１５は、キャリアプレート３の上面から係止部材７を挿入してキャリアプレート３の一側面方向へ回動可能な形状を備え、係合穴１５の開口端には、係止部材７の脱出を規制する突片１９，２１を設ける。【選択図】図５
2008050796.tif 000002
【特許請求の範囲】
【請求項１】
ウィンドウパネルを支持するキャリアプレートをガイドレールに摺動可能に取付け、該ガイドレールの上下端部にワイヤを掛け回すと共に、該ワイヤを前記キャリアプレートに係止し、前記ワイヤを上下方向に駆動することにより、前記キャリアプレート及びウィンドウパネルを前記ガイドレールに沿って昇降させるウィンドウレギュレータにおいて、前記ワイヤの端部に径大の係止部材を装着し、前記キャリアプレートは、その一側面上部に形成され、前記ワイヤの一端部を下方から斜めに引き込むワイヤ収容溝と、該ワイヤ収容溝の奥に連続した係合穴とを有し、前記係合穴は、キャリアプレートの上面から前記係止部材を挿入して前記キャリアプレートの一側面方向へ回動可能な形状を備え、前記係合穴の開口端には、前記係止部材の脱出を規制する突片を設け、前記係止部材を前記係合穴へ係合することにより、前記ワイヤをキャリアプレートに係止してあることを特徴としたウィンドウレギュレータ。
【請求項２】
前記係止部材は、前記ワイヤの軸方向に長く、先端面が球面である形状を有する請求項１に記載のウィンドウレギュレータ。
【請求項３】
前記係止部材は、断面矩形の基部と半球状の先端部とを有し、前記係合穴及び下部係合穴の奥面と交差する２面は、前記基部の相対向した２側面に沿う受け面とした請求項２に記載のウィンドウレギュレータ。
【請求項４】
前記係止部材が卵型である請求項２に記載のウィンドウレギュレータ。
【発明の詳細な説明】
【技術分野】
【０００１】
本発明は、ワイヤによってウィンドウパネルの昇降を行うワイヤ式のウィンドウレギュレータに関する。
【背景技術】
【０００２】
ワイヤ式のウィンドウレギュレータは、一般的に、ガイドレールと、ガイドレールに沿って昇降するキャリアプレートと、キャリアプレートによって支えられるウィンドウパネルと、キャリアプレートに係止される上昇用および下降用のワイヤと、それらのワイヤを交互に引き操作する駆動装置とを備えている。
【０００３】
ウィンドウレギュレータに用いられるキャリアプレートは、例えば、ウインドガラス取付部材と、ウインドガラス取付部材に固定されたワイヤ連結体とからなり、ワイヤ連結体にはワイヤの両端部を係止するワイヤ係止部が一体成形により設けられている。ワイヤ係止部は、ウインドガラス取付部材に開設された窓孔の一側に臨ませて上下方向にワイヤ係合溝が形成されると共に、ワイヤ係合溝の長手方向の中央にワイヤ係止凹部が形成される（特許文献１参照）。
このキャリアプレートにおいて、ワイヤをワイヤ係止部へ取り付けるには、ワイヤの端部に設けられたワイヤエンド部材をワイヤ係止凹部に挿入し、ワイヤをワイヤ係合溝に嵌入する。ワイヤ係合溝は、ワイヤのみを通し、ワイヤエンドを通さないスリットより成るのでワイヤが係止される。
【０００４】
しかしながら、上記特許文献１に記載のものは、ワイヤ係合溝及びワイヤ係止凹部の開口部の周囲に他部材が配置されているので、これらワイヤ係合溝及びワイヤ係止凹部へ複雑な経路を通してワイヤとワイヤエンドを係合しなければならず、位置合わせも難しかった。  
また、ガイドレールの下端から延びてキャリアプレートに係止されているワイヤには、ウィンドガラスの重量が加わらないので、ワイヤが弛んでワイヤエンドがワイヤ係止凹部から脱出し、ワイヤが外れる心配があった。
【０００５】
【特許文献１】実公平６−４５０３２号公報
【発明の開示】
【発明が解決しようとする課題】
【０００６】
本発明は、上述の従来技術の不具合を解消することを課題とするものであり、構造が簡単で、キャリアプレートにワイヤを係止しやすく、ワイヤがキャリアプレートから外れ難いウィンドウレギュレータの提供を目的とする。
【課題を解決するための手段】
【０００７】
請求項１に係るウィンドウレギュレータは、ウィンドウパネルを支持するキャリアプレートをガイドレールに摺動可能に取付け、該ガイドレールの上下端部にワイヤを掛け回すと共に、該ワイヤを前記キャリアプレートに係止し、前記ワイヤを上下方向に駆動することにより、前記キャリアプレート及びウィンドウパネルを前記ガイドレールに沿って昇降させるものであって、上記課題を解決するために、前記ワイヤの端部に径大の係止部材を装着し、前記キャリアプレートは、その一側面上部に形成され、前記ワイヤの一端部を下方から斜めに引き込むワイヤ収容溝と、該ワイヤ収容溝の奥に連続した係合穴とを有し、前記係合穴は、キャリアプレートの上面から前記係止部材を挿入して前記キャリアプレートの一側面方向へ回動可能な形状を備え、前記係合穴の開口端には、前記係止部材の脱出を規制する突片を設け、前記係止部材を前記係合穴へ係合することにより、前記ワイヤをキャリアプレートに係止してある。
【０００８】
前記係止部材は、前記ワイヤの軸方向に長く、先端面が球面である形状とするのが望ましい。  
例えば、前記係止部材は、断面矩形の基部と半球状の先端部とを有し、前記係合穴及び下部係合穴の奥面と交差する２面は、前記基部の相対向した２側面に沿う受け面とする。
或いは、係止部材を卵型とする。
【発明の効果】
【０００９】
請求項１に係る発明によれば、係合穴及びワイヤ収容溝の開口部がキャリアプレートの外面に大きく露出しているので、簡単に係止部材を係合穴に挿入して、ワイヤの端部をワイヤ収容溝へ係合することができる。  
また、ワイヤが弛んでワイヤ端部に軸方向の押圧力が加わっても、係止部材の脱出が突片によって規制されるので、ワイヤがキャリアプレートから外れるのを防止できる。  
さらに、ワイヤが外れるのを防ぐために、キャリアプレートの外面に突出した部材を形成していないので、製造しやすく、破損しにくい。
【００１０】
請求項２に係る発明によれば、係止部材を突片で確実に押さえることができ、係止部材が係合穴内でスムーズに回転する。
請求項３に係る発明によれば、係止部材が安定して支持され、がたつきを防ぐことができる。
請求項４に係る発明によれば、係止部材をどのような向きで係合穴へ挿入しても良いので、いっそうキャリアプレートへ係合しやすい。
【発明を実施するための最良の形態】
【００１１】
以下、本発明の実施形態を図面に基づいて説明する。
図１に示すように、本発明のウィンドウレギュレータは、ウィンドウパネル１の昇降方向に沿うよう、上部を後方に向けて斜めに配設された前後一対のガイドレール２と、前後のガイドレール２にそれぞれ摺動自在に取付けられ、ウィンドウパネル１の下端を支持するキャリアプレート３，３’と、モータの出力軸に連結され、正逆両方向へ回転するドラム４と、ドラム４に巻き回され、ガイドレール２の上下端部に装着したローラ５に掛け回されたワイヤ６とを備える。
【００１２】
ワイヤ６は２本に分割され、一方のワイヤ６は、一方のキャリアプレート３から一方のガイドレール２の上端部を通過し、他方のガイドレール２の下端部を通って、他方のキャリアプレート３’に達する。
また、他方のワイヤ６は、他方のキャリアプレート３’から他方のガイドレール２の上端部を通って、さらに一方のガイドレール２の下端部を通過し、一方のキャリアプレート３に達する。
そして、一方のワイヤ６と他方のワイヤ６とは、前後のガイドレール２の間で交差している。
【００１３】
図２に示すように、各ワイヤ６の端部には径大の係止部材７がそれぞれ装着されている。係止部材７は、断面矩形の基部８と半球状の先端部９とを有し、ワイヤ６の軸方向に長い形状としてある。
これらの係止部材７はキャリアプレート３，３’に係止され、ドラム４を両方向へ回転させると、ワイヤ６のガイドレール２に沿う部分は上下方向に移動し、前後のキャリアプレート３，３’は同時にガイドレール２に沿って昇降するようになっている。
この結果、キャリアプレート３，３’で支持されたウィンドウパネル１もガイドレール２に沿って昇降する。
【００１４】
一方のキャリアプレート３は、図３に示すように、ガイドレール２に摺動自在に係合され、ワイヤ６に連結されたワイヤ連結体１０と、ワイヤ連結体１０から張り出したウィンドウパネル支持部１１とから成る。
ウィンドウパネル支持部１１は板金製であり、本実施形態ではワイヤ連結体１０の左方に張り出している。また、ウィンドウパネル支持部１１の一面先端寄りには、ウィンドウパネル１の下端を嵌合する支持溝１２が形成されている。
【００１５】
ワイヤ連結体１０は、合成樹脂を素材とし、その一面にはウィンドウパネル１の下端を受ける弧状片１３が一体に突設され、他面にはガイドレール２と係合するガイドレール係止溝３０が形成されている。
また、ワイヤ連結体１０は、その右側面上部に形成され、ワイヤ６の一端部を下方から斜めに引き込むワイヤ収容溝１４と、ワイヤ収容溝１４の奥に連続した係合穴１５とを有する。
【００１６】
係合穴１５は、ワイヤ６の一端部に装着された係止部材７と着脱自在に係合し、図４に示すように、ワイヤ連結体１０の上面の右側面寄りに開口している。係合穴１５の開口部は、係止部材７の基部８の断面形状より僅かに大きい矩形としてある。
図５及び図６に示すように、係合穴１５の底面は、奥面下端から穴中心部に向かって次第に深くなるよう傾斜し、さらに直角に屈曲して、ワイヤ収容溝１４に向かって次第に浅くなるよう傾斜した係合面２０となっている。
【００１７】
係合穴１５の奥面開口端には、係止部材７の脱出を規制する突片１９が張り出し、突片１９の下方は陥没部１８となっている。また、係合面２０の上方には陥没部１８’が形成され、陥没部１８’の上方において係合穴１５の開口端には、係止部材７の脱出を規制する突片２１が張り出している。
係合穴１５の奥面と交差する２面は、係止部材７の基部８の相対向した２側面に沿う受け面２２となっている。
【００１８】
ワイヤ収容溝１４は、ワイヤ６の直径よりやや広いが、係止部材７を通さない幅に形成され、ワイヤ連結体１０の右側面上部、及び、ワイヤ連結体１０の上面において係合穴１５と右側面との間に開口している。
また、ワイヤ収容溝１４の底部の奥端は、係合穴１５の係合面２０に連続し、下方に近づくに従ってワイヤ連結体１０の右側面に接近するよう緩やかに湾曲して傾斜している。
【００１９】
他方のキャリアプレート３’の基本的な構造は一方のキャリアプレート３とほぼ同じであるが、ワイヤ６がワイヤ連結体１０とウィンドウパネル支持部１１との間を通るため、ワイヤ収容溝１４はワイヤ連結体１０の左側面に開口している。
即ち、他方のキャリアプレート３’では、ワイヤ収容溝１４及び係合穴１５の構造は、一方のキャリアプレート３に形成したものと左右対称となっているので、詳細な説明は省略する。
【００２０】
キャリアプレート３にワイヤ６の一端部を係止するには、まず、図５に示すように、ワイヤ６の端部に装着された係止部材７の先端部９を、それぞれ係合穴１５へ上方から挿入する。
次いで、係止部材７をワイヤ連結体１０の右側面方向へ回動させ、図６に示すように、基部８を係合穴１５の係合面２０に係合すると共に、ワイヤ６の端部をワイヤ収容溝１４に収納する。
この時、係合穴１５の開口部は係止部材７の断面形状より僅かに大きく形成されると共に、係合穴１５の内部には、奥面及びこれと対向する面に係止部材７の回動を許容する陥没部１８，１８’が設けられ、しかも、係止部材７の先端部９は半球状に形成されているので、係止部材７は係合穴１５の内面に引っかかることなくスムーズに回転する。
【００２１】
また、係止部材７が回転してワイヤ６の端部がワイヤ収容溝１４の底部に当接すると、係止部材７は斜めに傾斜して突片１９及び突片２１で押さえられ、係合穴１５からの脱出が規制される。
ワイヤ収容溝１４に収容されたワイヤ６の一端部は、ウィンドウパネル１の重量が加わらないので、特にウィンドウパネル１の上昇時には弛みやすいが、ワイヤ６を上方に向けて回転させない限り、係止部材７が係合穴１５から脱出することはない。
【００２２】
他方のキャリアプレート３’に対しても、同じようにしてワイヤ６を取り付ける。
なお、上記した実施形態では２本のガイドレール２を設置してあるが、ガイドレール２を１本配置し、このガイドレール２に取付けたキャリアプレート３のみによりウィンドウパネル１を支持することもある。
また、係止部材７は、ワイヤ６の軸方向に長い卵型としても良い。
【図面の簡単な説明】
【００２３】
【図１】本発明の実施形態を示すウィンドウレギュレータの正面図。
【図２】本発明の実施形態に係るワイヤの斜視図。
【図３】本発明の実施形態に係るキャリアプレートの正面図。
【図４】本発明の実施形態に係るキャリアプレートの要部平面図。
【図５】本発明の実施形態に係るワイヤ連結体の係止部材回動前における要部断面図。
【図６】本発明の実施形態に係るワイヤ連結体の係止部材回動後における要部断面図。
【符号の説明】
【００２４】
１  ウィンドウパネル
２  ガイドレール
３  一方のキャリアプレート
３’  他方のキャリアプレート
４  ドラム
５  ローラ
６  ワイヤ
７  係止部材
８  基部
９  先端部
１０  ワイヤ連結体
１１  ウィンドウパネル支持部
１２  支持溝
１３  弧状片
１４  ワイヤ収容溝
１５  係合穴
１８，１８’  陥没部
１９  突片
２０  係合面
２１  突片
２２  受け面
３０  ガイドレール係止溝
【図１】
2008050796.tif 000003
【図２】
2008050796.tif 000004
【図３】
2008050796.tif 000005
【図４】
2008050796.tif 000006
【図５】
2008050796.tif 000007
【図６】
2008050796.tif 000008